(57)【特許請求の範囲】
【請求項１】
開閉口の上下に設けられたガイドに引き違いスライド可能に支持された組合せスライド扉であって、
前記スライド扉は、前記ガイドの同一軌道上に支持される幅狭の一対のサイド扉と、前記ガイドの他方の軌道上に支持されて前記開閉口を閉じる際は前記両サイド扉の中央に配置される幅広のセンタ扉とから成り、
前記センタ扉の幅方向中間には回転歯車が軸支されると共に、前記回転歯車に噛合され一端がサイド扉に、他端がスライドガイドにより摺動自在にセンタ扉に取り付けられた一対の直線歯車が取付けられ、前記センタ扉は、前記開閉口の幅の略１／２の幅を有すると共に前記サイド扉の２倍の幅を有して成り、表面に面する両サイド扉にのみ取っ手を具備し、前記センタ扉は、前記開閉口が閉じられる際は該開閉口の両側に配置されるサイド扉の中央に位置し、開放時には前記サイド扉の裏側に位置するよう配置されることを特徴とする組合せスライド扉。
【請求項２】
前記センタ扉および各サイド扉は、前記開閉口上部に取付けられたガイドに引き違いスライド可能に懸吊支持されていることを特徴とする請求項１に記載の組合せスライド扉。
【発明の詳細な説明】
【０００１】
【発明の属する技術分野】
本発明は、組合せスライド扉であって、特に３枚のスライド扉が互いに連動可能に連結された組合せスライド扉に関する。
【０００２】
【従来の技術】
従来より開閉口を開閉する扉として使用される引き違いのスライド扉は、複数枚の扉が組合せて使用されている。
【０００３】
例えば、同一開閉口に複数枚の扉を組合せて使用する場合について考えると、スライド扉を２枚、もしくは３枚組合せたような構造が一般的である。
【０００４】
【発明が解決しようとする課題】
このように、開閉口に引き違いの扉として複数枚の扉を組合せて使用する場合は、扉の枚数を多くすれば開閉口を広く開口することができるが、開閉する際に操作する人の移動範囲が広くなり操作性が悪くなる。
【０００５】
また、各スライド扉には凸形取っ手または凹形取っ手が取付けられるが、このように複数枚のスライド扉に凸形取っ手を取付けた場合は、開放時に凸形取っ手が各扉の端部に当るため各スライド扉を全部開放することができず、開放口を充分に広く開放させることができない問題を有していた。
【０００６】
一方、凹形取っ手を取付けた場合は、重なり合う扉との干渉は無いが各スライド扉を全部開放することによって互いに重なり合うため、凹形取っ手が内部に入り込み、スライド扉を閉じる際に引き出し操作が困難となる問題を有していた。
【０００７】
本発明は、上記のような問題点を解決するためになされたもので、スライド扉を開閉する人の移動範囲が少なく、極めて簡単な操作で開閉操作を行なうことができる組合せスライド扉を提供することを目的とする。
【０００８】
【課題を解決するための手段】
本発明は、開閉口の上下に設けられたガイドに引き違いスライド可能に支持された組合せスライド扉であって、前記スライド扉は、前記ガイドの同一軌道上に支持される幅狭の一対のサイド扉と、前記ガイドの他方の軌道上に支持されて前記開閉口を閉じる際は前記両サイド扉の中央に配置される幅広のセンタ扉とから成り、前記センタ扉の幅方向中間には回転歯車が軸支されると共に、前記回転歯車に噛合され一端がサイド扉に、他端がスライドガイドにより摺動自在にセンタ扉に取り付けられた一対の直線歯車が取付けられ、前記センタ扉は、前記開閉口の幅の略１／２の幅を有すると共に前記サイド扉の２倍の幅を有して成り、表面に面する両サイド扉にのみ取っ手を具備し、前記センタ扉は、前記開閉口が閉じられる際は該開閉口の両側に配置されるサイド扉の中央に位置し、開放時には前記サイド扉の裏側に位置するよう配置されることを特徴としている。
この特徴により、表側に面する１枚のスライド扉を開閉操作するだけで開閉口を全て開閉することができ、極めて簡単な操作で開閉操作を行なうことができる。また、センタ扉が開閉口の幅の略１／２の幅を有すると共に前記サイド扉の２倍の幅を有しているので、開放に際しセンタ扉と２枚のサイド扉の全幅が重ね合されるため開閉口を広く使用することができる。また、表側に面するスライド扉の表面に取っ手を具備しているので、開閉時に取っ手が隠れたり、扉に当たることがなくスライド扉の操作性を向上することもできる。更に、センタ扉が、開放時に開閉口の両側に配置されるサイド扉の裏側に隠蔽されるので、開閉口の開口面積が拡大され開放時のスライド扉の美観が向上する。
【０００９】
本発明の組合せスライド扉は、前記センタ扉および各サイド扉が前記開閉口上部に取付けられたガイドに引き違いスライド可能に懸吊支持されれば好適である。
これによれば、スライド扉が、開閉口上部に取付けられたガイドに引き違いスライド可能に懸吊支持されているので、ガイドの軌道が開閉口の下面上部に露呈することが無いため軌道内に塵埃等が侵入することなくスライド扉を円滑に移動させることができる。
【００１２】
【発明の実施の形態】
以下、実施の形態を挙げ図面に基づいて本発明を説明する。本発明の組合せスライド扉の一実施形態につき説明する。
【００１３】
図１は、組合せスライド扉の分解組立斜視図、図２は組立られた３枚の組合せスライド扉のＡ矢視図であり、図３は組合せスライド扉の平面図である。
【００１４】
図１および２において、１は３枚から成る組合せスライド扉であり、これらスライド扉１は、上部が開閉口２（図３参照）の上部に取付けられた上部ガイド３ａに吊り下げられて引き違いスライド可能に支持され、下部も開閉口２の下端に取付けられた下部ガイド３ｂに引き違いスライド可能に支持されている。
【００１５】
そして、上部ガイド３ａは、上面に凹溝により構成される２列の軌道４、５が並設され、開閉口２の全幅に亘って長手方向に延在している。
【００１６】
また、下部ガイド３ｂは、下方に向けて開放する２列の凹溝で形成された軌道８、９が並設され、開閉口２の全幅口に亘って長手方向に延在している。
【００１７】
スライド扉１は、主に上部ガイド３ａの同一軌道４上に係合支持される幅狭のサイド扉６ａ、６ｂと、上部ガイド３ａの他方の軌道５上に支持されて開閉口２を閉じる際は両サイド扉６ａ、６ｂの中央に配置される幅広のセンタ扉７と、該センタ扉７の幅方向中間に軸支された回転歯車１０と、前記回転歯車に噛合され両サイド扉６ａ、６ｂに均等間隔でそれぞれ噛合された直線歯車１１ａ、１１ｂとで構成される。
【００１８】
このようにセンタ扉７と両サイド扉６ａ、６ｂは、回転歯車１０（以下ピニオオンギヤと称する）と一対の直線歯車１１ａ、１１ｂ（以下ラックギヤと称する）との組合わせから成る倍速機構を用いることにより、各サイド扉６ａ、６ｂをセンタ扉７の移動量の２倍の移動量で連動して移動させることができる。
【００１９】
更に詳しくは、センタ扉７は、図４（ａ）に示されるように開閉口２の幅の略１／２の幅を有すると共にサイド扉６ａまたは６ｂの２倍の幅を有しており、表面に面するスライド扉には凸形の取っ手１６ａ、１６ｂ（図１参照）が取り付けられている。
【００２０】
本実施形態の場合は、センタ扉７は、開閉口２を閉じた状態では該開閉口２の両側に配置されるサイド扉６ａ、６ｂの中央に位置し、サイド扉６ａ又は６ｂを移動させて開閉口２の一方を開放した状態では、開閉口２のどちらかの壁面に互いに当接された状態の両サイド扉６ａ、６ｂの裏側に位置する。
【００２１】
尚、両サイド扉６ａ、６ｂの開閉口２との側壁側に取付けられる取っ手１６ａ、１６ｂは、凸形に限らず凹形の取っ手を取付けても良く、取付け位置を両サイド扉６ａ、６ｂのセンタ扉７側にそれぞれ配置しても良い。
【００２２】
そして、両サイド扉６ａ、６ｂの上端部両側には、下向きコ字形に形成されたサポート１２、１２が取付けられており、該サポート１２、１２の外側面には夫々ホイール１４が回転自在に軸支されている。
【００２３】
また、センタ扉７の上端部両側には、上向きのサポート１３、１３が取付けられており、該サポート１３の外側面には夫々ホイール１５、１５が回転自在に軸支されている。
【００２４】
両サイド扉６ａおよび６ｂに取付けられた各ホイール１４、１４は、上部ガイド３ａの内側の軌道４に係合支持され、センタ扉７に取付けられたホイール１５、１５は、上部ガイド３ａの軌道５に係合保持されている。
【００２５】
一方、図２に示されるように両サイド扉６ａおよび６ｂの下部には、サポート１７、１７が取付けられており、該サポート１７、１７の上方に折曲された先端は、下部ガイド３ｂの一方の軌道８に摺動可能に係止されている。
【００２６】
また、センタ扉７の下部にも図２に示されるサポート１８、１８が取付けられており、該サポート１８、１８の先端は下部ガイド３ｂの他方の軌道９に摺動可能に係止されている。
【００２７】
このように幅狭のサイド扉６ａ、６ｂと幅広のセンタ扉７は、上部ガイド３ａの各軌道４および５に夫々ホイール１４、１５を介して懸吊支持されると共に、各サポート１７、１８を介して下部ガイド３ｂの各軌道８、９に摺動可能に係止されて夫々引き違いスライド可能に支持される。
【００２８】
センタ扉７の幅方向中間には、幅方向中間にピニオンギヤ１０が回転自在に軸支され、該ピニオンギヤ１０の直径方向上下には一対のラックギヤ１１ａ、１１ｂが互いに反対方向に向けて延在するよう対称的な位置関係をもって噛合している。
【００２９】
更に詳しくは、ピニオンギヤ１０は、センタ扉７の内側上部に位置し且つ幅方向中間に突設された支持軸１９先端にブッシュ１９ａを介して回転自在に軸支されている。
【００３０】
また、前記ピニオンギヤ１０とそれぞれ上下で噛合している一対のラックギヤ１１ａ、１１ｂは、各背面がスライドガイド２０ａ、２０ｂにより摺動自在に案内支持されており、このスライドガイド２０ａ、２０ｂは、ピニオンギヤ１０の上下より突設されたブラケット２１ａ、２１ｂに固定されている。
【００３１】
一対のラックギヤ１１ａ、１１ｂは、その各他端が両サイド扉６ａ、６ｂの開閉口２との当接側端部に設けられたコ字形のブラケット２２ａ、２２ｂを介して取付けられている。
【００３３】
そして、ピニオンギヤ１０および該ピニオンギヤ１０とラックギヤ１１ａ、１１ｂとの噛合部は安全カバー２３により囲撓される。
【００３８】
尚、片側のサイド扉７ａおよびこのサイド扉７ａに連動して移動するセンタ扉７の下方は、サポート１７、１８が係止している下部ガイド３ｂの軌道８、９にそれぞれ案内係止される。
【００３９】
このように、各スライド扉が、開閉口２の上部に取付けられたガイド３ａに引き違いスライド可能に懸吊支持されているので、ガイド３ａの軌道４、５が従来のように開閉口２の下面上部に露呈することが無いため、これら軌道４、５内に塵埃等が侵入することなくスライド扉を円滑に移動させることができる。
【００４３】
また、センタ扉が、開閉口２の幅の略１／２の幅を有すると共にサイド扉６ａ、６ｂの２倍の幅を有しているので、開放に際しセンタ扉７と２枚のサイド扉６ａ、６ｂの全幅が重ね合わされるため開閉口２を広く使用することができる。
【００４４】
さらに、表側に面するスライド扉の表面に取っ手１６ａ、１６ｂを具備しているので、開閉時に取っ手が隠れたり、扉に当たることがなくスライド扉の操作性を向上することができる。
【００４５】
加えて、センタ扉７が開放時に開閉口２の両側に配置されるサイド扉６ａ、６ｂの裏側に隠蔽されるので、開閉口２の開口面積が拡大され開放時のスライド扉の美観が向上する。
【００４６】
次に、本発明の組合せスライド扉の他の実施形態について説明する。図５には本発明の他の実施状態が示されており、（ａ）は組合せスライド扉の仮想中心線Ｃ−Ｃの片側を示す平面図であり、（ｂ）は（ａ）のＢ−Ｂ断面図をしめす。尚、前記実施形態の構成と同一構成部分は同一符号を付し詳細な説明は省略する。
【００４７】
本実施状態における組合せスライド扉２６は、前記実施形態の組合せスライド扉のサイド扉とセンタ扉の表裏の関係を逆に配置したものである。この関係で前記実施形態のスライド扉の構成と異なるところは、倍速機構を支持する各ステーおよび各スライド扉を案内支持する上部ガイドの軌道がサイド扉とセンタ扉を入れ替えた点であり、且つピニオンギヤ１０の支持軸を長い支持軸２７にした点である。
【００４８】
先ず、両サイド扉２４ａ、２４ｂの上端部には、両側に上方に延びる一対のサポート１３が両側に取付けられていて、これらサポート１３の先端側面にはそれぞれホイール１５、１５が回転自在に軸支されている。これらホイール１５、１５は、上部ガイド３ａの一方の同一軌道５上に係合保持されている。
【００４９】
また、センタ扉２５の上端部両側には、逆コ字形のサポート１２、１２（一方のみ図示）が取付けられており、該サポート１２の外側面には夫々ホイール１４、１４が回転自在に軸支されている。これらホイール１４、１４は、上部ガイド３ａの他方の同一軌道４上に係合保持されている。
【００５０】
このように幅狭のサイド扉２４ａ、２４ｂと幅広のセンタ扉２５は、上部ガイド３ａの各軌道５および４に夫々ホイール１５および１４を介して懸吊支持されると共に、図示しない下部ガイドの各軌道に摺動可能に係止されて夫々引き違いスライド可能に支持される。
【００５３】
以上、本発明の実施例を図面により説明してきたが、具体的な構成はこれら実施例に限られるものではなく、本発明の要旨を逸脱しない範囲における変更や追加があっても本発明に含まれる。例えば組合せスライド扉に使用された倍速機構は、スライド扉の大きさや重量に応じてピニオンギヤの直径を拡大することにより、操作上の負荷を軽減することができる。
【００５４】
【発明の効果】
本発明は次の効果を奏する。
【００５５】
（ａ）請求項１の発明によれば、表側に面する１枚のスライド扉を開閉操作するだけで開閉口を全て開閉することができ、極めて簡単な操作で開閉操作を行なうことができる。また、センタ扉が開閉口の幅の略１／２の幅を有すると共に前記サイド扉の２倍の幅を有しているので、開放に際しセンタ扉と２枚のサイド扉の全幅が重ね合されるため開閉口を広く使用することができる。また、表側に面するスライド扉の表面に取っ手を具備しているので、開閉時に取っ手が隠れたり、扉に当たることがなくスライド扉の操作性を向上することもできる。更に、センタ扉が、開放時に開閉口の両側に配置されるサイド扉の裏側に隠蔽されるので、開閉口の開口面積が拡大され開放時のスライド扉の美観が向上する。
【００５６】
（ｂ）請求項２の発明によれば、スライド扉が、開閉口上部に取付けられたガイドに引き違いスライド可能に懸吊支持されているので、ガイドの軌道が開閉口の下面上部に露呈することが無いため軌道内に塵埃等が侵入することなくスライド扉を円滑に移動させることができる。
【００５９】
【図面の簡単な説明】
【図１】本発明の一実施形態を示す組合せスライド扉の分解組立斜視図である。
【図２】組立られた組合せスライド扉のＡ矢視図である。
【図３】組合せスライド扉の平面図である。
【図４】（ａ）は組合せスライド扉が閉じている状態を示す説明図である。
【図５】本発明の他の実施形態を示し（ａ）は組合せスライド扉の部分平面図であり、（ｂ）は（ａ）のＢ−Ｂ断面図である。
【符号の説明】
１                          スライド扉
２                          開閉口
３ａ          上部ガイド
３ｂ          下部ガイド
４、５        軌道
６ａ、６ｂ                  サイド扉
７                          センタ扉
８、９        軌道
１０                          ピニオンギヤ（回転歯車）
１１ａ、１１ｂ    ラックギヤ（直線歯車）
１２、１３        サポート
１４、１５      ホイール
１６ａ、１６ｂ    取っ手
１７、１８      サポート
１９、２７        支持軸
２０ａ、２０ｂ    スライドガイド
２１ａ、２１ｂ    ブラケット
２２ａ、２２ｂ    ブラケット
２３              安全カバー
２４ａ、２４ｂ    サイド扉
２５              センタ扉
２６              スライド扉
【図１】
0003803841.tif 000002
【図２】
0003803841.tif 000003
【図３】
0003803841.tif 000004
【図４】
0003803841.tif 000005
【図５】
0003803841.tif 000006